【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
ガスタービンのパワー増大システムであって、
流体を受け入れる第１と第２の流体受け入れ接続部と、複数のステージと、を有するスキッドを備え、前記複数のステージが、運転状態と停止状態とを有し、前記ステージのそれぞれが少なくとも第１の弁と第２の弁とを備え、前記第１の弁と第２の弁とがそれぞれ開放位置と閉鎖位置とを有し、更に前記ステージのそれぞれが、ステージの配管と、流体を放出する１つの流体放出接続部と、を備え、
運転状態では、流体が前記ステージ内に受け入れられ、第１の所望のレベルまで加圧され、放出され、更に、前記第１の弁が開放位置にあり、前記第２の弁が閉鎖位置にある場合に、流体が前記ステージ内に受け入れられ、加圧され、前記第１の弁が閉鎖位置にあり、前記第２の弁が開放位置にある場合に、流体が放出され、
停止状態では、少なくとも前記第２の弁が閉鎖位置にあり、流体の少なくとも大部分が、前記ステージから放出されない、
パワー増大システム。
【請求項２】
前記第１の弁が、第１のポンプによって流体を供給され、前記第２の弁が、第２のポンプによって流体を供給される、請求項１に記載のパワー増大システム。
【請求項３】
複数のステージを備え、前記複数のステージのそれぞれが、１つのポンプによって流体を供給され、前記のポンプが、各ステージに流体を供給する、請求項１に記載のパワー増大システム。
【請求項４】
前記ポンプが、第１のポンプと、第２のポンプと、を備え、前記第１のポンプが、前記複数のステージの各ステージの前記第１の弁に流体を供給し、前記第２のポンプが、前記複数のステージの各ステージの前記第２の弁に流体を供給する、請求項３に記載のパワー増大システム。
【請求項５】
前記ステージ内に受け入れられる流体が、流体源から前記ステージに供給される、請求項１に記載のパワー増大システム。
【請求項６】
前記ステージから放出された流体が、注入装置に供給される、請求項１に記載のパワー増大システム。
【請求項７】
運転状態では、添加流体が前記ステージ内に受け入れられ、第２の所望のレベルまで加圧され、放出され、更に、添加流体が前記ステージ内に受け入れられ、前記第２の所望のレベルまで加圧され、放出される場合には、前記第１の弁は、閉鎖位置にあり、前記第２の弁は、開放位置にある、請求項１に記載のパワー増大システム。
【請求項８】
前記第２の所望のレベルが、周囲の天候条件に基づく、請求項７に記載のパワー増大システム。
【請求項９】
運転状態において、流体が放出される場合に、アキュムレータが、前記流体を更に加圧し、前記ステージ内に残っている量の空気を加圧する、請求項７に記載のパワー増大システム。
【請求項１０】
前記添加流体が加圧される速度が、増加される、請求項９に記載のパワー増大システム。
【請求項１１】
前記第１の弁が開放位置にあり、前記第２の弁が閉鎖位置にあり、流体が前記ステージ内に受け入れられ、加圧される場合に、わずかな量の流体が、前記第２の弁を通って漏洩する、請求項１に記載のパワー増大システム。
【請求項１２】
停止状態において、少なくとも前記第２の弁が閉鎖位置にある場合に、流体のわずかな部分が、前記第１の弁又は第２の弁を通って漏洩する、請求項１に記載のパワー増大システム。
【請求項１３】
ガスタービンのパワー増大システムであって、
前記パワー増大システムが、
流体を受け入れる第１と第２の流体受け入れ接続部と、運転状態と停止状態とを有する複数のステージと、を備える流体供給スキッドであって、前記ステージのそれぞれが、少なくとも第１の弁と第２の弁とを備え、前記第１の弁と第２の弁とが、それぞれ、開放位置と閉鎖位置とを有し、更に前記ステージのそれぞれが、ステージの配管と、流体を放出する１つの流体放出接続部と、を備える、流体供給スキッドと、
前記流体供給スキッドに接続され、前記ステージのそれぞれに流体を供給するポンプと、
前記ポンプに接続され、前記ポンプを制御し、また、前記流体供給スキッドに接続され、前記第１の弁と第２の弁とを制御する、制御ユニットと、
流体を前記複数のステージに供給する流体源と、
を備え、
運転状態では、流体が、前記ステージ内に受け入れられ、第１の所望のレベルまで加圧され、放出され、更に、前記第１の弁が開放位置にあり、前記第２の弁が閉鎖位置にある場合に、流体が前記ステージ内に受け入れられ、加圧され、更に、前記第１の弁が閉鎖位置にあり、前記第２の弁が開放位置にある場合に、流体が放出され、
停止状態では、少なくとも前記第２の弁が閉鎖位置にあり、前記流体の少なくとも大部分が前記ステージから放出されない、パワー増大システム。
【請求項１４】
前記放出された流体を受け入れる注入装置を更に備える、請求項１３に記載のパワー増大システム。
【請求項１５】
前記ポンプが、第１のポンプと、第２のポンプと、を備え、前記第１のポンプは、前記複数のステージのそれぞれの前記第１の弁に流体を供給し、前記第２のポンプは、前記複数のステージのそれぞれの前記第２の弁に流体を供給する、請求項１３に記載のパワー増大システム。
【請求項１６】
運転状態では、添加流体が前記ステージ内に受け入れられ、第２の所望のレベルまで加圧され、放出され、更に、添加流体が前記ステージ内に受け入れられ、前記第２の所望のレベルまで加圧され、放出される場合に、前記第１の弁は、閉鎖位置にあり、前記第２の弁は、開放位置にある、請求項１３に記載のパワー増大システム。
【請求項１７】
前記ポンプが、第１のポンプと、第２のポンプと、を備え、前記第１のポンプは、前記流体を前記第１の所望のレベルまで加圧し、前記第２のポンプは、前記添加流体を前記第２の所望のレベルまで加圧する、請求項１６に記載のパワー増大システム。
【請求項１８】
前記第２の所望のレベルが、周囲の天候条件に基づく、請求項１６に記載のパワー増大システム。
【請求項１９】
前記複数のステージのそれぞれに接続されたアキュムレータを更に備え、運転状態において、流体が放出される場合に、前記アキュムレータが、前記流体及び前記ステージ内に残っている量の空気を更に加圧する、請求項１３に記載のパワー増大システム。
【請求項２０】
前記ポンプが作動する速度を上昇させるために流量計を更に備える、請求項１９に記載のパワー増大システム。
【請求項２１】
前記制御ユニットが、
流体を放出する流量を決定する段階と、
前記決定された流量を達成するために運転するステージを決定する段階と、
（ｉ）予備充填弁を開放し、（ｉｉ）前記ポンプの運転を制御し、前記ステージを流体によって充填し、前記ステージの前記流体を前記第１の所望のレベルまで加圧し、（ｉｉｉ）予備充填弁を閉鎖し、（ｉｖ）前記ステージの前記主弁を開放し、（ｖ）前記ポンプの運転を制御し、添加流体を前記ステージに供給し、前記ステージの前記添加流体を第２の所望のレベルまで加圧する、ことにより、前記ポンプを制御して前記決定されたステージの運転状態を達成する段階と、
によって前記ポンプを制御する、請求項１３に記載のパワー増大システム。
【請求項２２】
前記流体を放出する流量を決定する段階が、周囲の天候条件に基づく、請求項２１に記載のパワー増大システム。
【請求項２３】
前記制御ユニットに接続された天候監視ユニットを更に備え、前記天候監視ユニットが、周囲の天候条件を前記制御ユニットに供給する、請求項１３に記載のパワー増大システム。
【請求項２４】
前記制御ユニットに接続されたコンピュータシステムを更に備え、前記コンピュータシステムが、性能データを追跡し、報告する、請求項１３に記載のパワー増大システム。
【請求項２５】
前記ポンプが、低圧ポンプユニットと、高圧ポンプユニットと、を備える、請求項１３に記載のパワー増大システム。
【請求項２６】
流体供給スキッドからガスタービンの注入装置に流体を注入する方法において、
前記方法が、
流体を受け入れる第１と第２の流体受け入れ接続部と、運転状態と停止状態とを有する複数のステージと、を備える前記流体供給スキッドの、少なくとも１つのステージを運転する段階であって、前記ステージのそれぞれが、少なくとも第１の弁と第２の弁とを備え、前記第１の弁と第２の弁とが、それぞれ、開放位置と閉鎖位置とを有し、更に前記ステージのそれぞれが、ステージの配管と、流体を放出する１つの流体放出接続部と、を備える、段階を備え、
運転する段階が、
前記第１の弁が開放位置にあり、前記第２の弁が閉鎖位置にある状態において、前記ステージを流体で充填し、前記流体を第１の所望のレベルまで加圧する段階と、
前記第１の弁が閉鎖位置にあり、前記第２の弁が開放位置にある状態において、前記流体を放出する段階と、
を備える、方法。
【請求項２７】
前記複数のステージを運転するために制御ユニットからの指示を受信する段階を更に備える、請求項２６に記載の方法。
【請求項２８】
前記複数のステージを停止するために制御ユニットからの指示を受信する段階を更に備える、請求項２６に記載の方法。
【請求項２９】
前記流体の少なくとも大部分が前記ステージから放出されないように、少なくとも前記第２の弁を閉鎖することによって、前記指示されたステージを停止する段階を更に備える、請求項２８に記載の方法。
【請求項３０】
前記流体供給スキッドの少なくとも１つのステージを運転する段階が、前記第１の弁が閉鎖位置にあり、前記第２の弁が開放位置にある状態において、前記ステージを添加流体で充填し、前記添加流体を第２の所望のレベルまで加圧する段階を更に備える、請求項２６に記載の方法。
【請求項３１】
前記添加流体が、前記流体の前記第１の所望のレベルよりも高いレベルまで加圧される、請求項３０に記載の方法。
【請求項３２】
前記流体を第１の所望のレベルまで加圧する段階が、制御ユニットによって指示された前記第１の所望のレベルの圧力を達成するために、ポンプで昇圧する段階を備える、請求項２６に記載の方法。
【請求項３３】
更に、前記スキッドに接続され前記第１の弁と第２の弁とを制御する制御ユニットを備える、請求項１に記載のパワー増大システム。
【請求項３４】
前記第１の弁が、前記第１の流体受け入れ接続部に連通する配管から分岐したステージの配管中に配置され、前記第２の弁が、前記第２の流体受け入れ接続部に連通する配管から分岐したステージの配管中に配置され、前記第１の弁の下流のステージの配管と前記第２の弁の下流のステージの配管とが合流し、前記流体放出接続部に接続される、請求項１に記載のパワー増大システム。
【請求項３５】
前記第１の弁が、前記第１の流体受け入れ接続部に連通する配管から分岐したステージの配管中に配置され、前記第２の弁が、前記第２の流体受け入れ接続部に連通する配管から分岐したステージの配管中に配置され、前記第１の弁の下流のステージの配管と前記第２の弁の下流のステージの配管とが合流し、前記流体放出接続部に接続される、請求項１３に記載のパワー増大システム。
【請求項３６】
前記第１の弁が、前記第１の流体受け入れ接続部に連通する配管から分岐したステージの配管中に配置され、前記第２の弁が、前記第２の流体受け入れ接続部に連通する配管から分岐したステージの配管中に配置され、前記第１の弁の下流のステージの配管と前記第２の弁の下流のステージの配管とが合流し、前記流体放出接続部に接続される、請求項２６に記載の方法。